(57)【要約】【課題】ベンチの施工を短時間で効率よく実施することができるベンチを提供する。【解決手段】前後左右に適宜間隔をあけて少なくとも４本の杭１がその上部を設置面Ｇから突出された状態で設置面Ｇに埋め込まれ、前後に配置された少なくとも２本の杭１の上端に前後方向に延びる脚部２が架け渡されるとともに、該脚部２を貫通し前記杭１の上端にねじ１５が螺着され、前記脚部２の上端に前後方向に延びる連結金具３が取付けられて、該連結金具３に左右方向に延びる座部４が差し渡されて支持するようにする。【選択図】        図１
2015033433.tif 000002
【特許請求の範囲】
【請求項１】
前後左右に適宜間隔をあけて少なくとも４本の杭がその上部を設置面から突出された状態で設置面に埋め込まれ、前後に配置された少なくとも２本の杭の上部に前後方向に延びる脚部が架け渡されるとともに、該脚部の下部を貫通し前記杭の上部にねじが螺着され、前記脚部の上部に前後方向に延びる連結金具が取付けられて、該連結金具に左右方向に延びる座部が差し渡されて支持されていることを特徴とするベンチ。
【請求項２】
前記杭の設置面から突出された突出部は、設置面に埋め込まれた埋め込み部より短くなされていることを特徴とする請求項１に記載のベンチ。
【発明の詳細な説明】
【技術分野】
【０００１】
本発明は、公園、遊園地などに設置されるベンチに関するものである。
【背景技術】
【０００２】
従来、公園、遊園地、駅やバス等の待合いスペース、駅前や商業施設の広場には、通行人や施設利用者が休憩等に利用するベンチが設置されている。そして、これらベンチは、複数の脚部の上部に、平板状のものや、柱状体或いは管状体を複数並設して平板状に形成したもの等からなる座部が取付けられている。
【０００３】
このようなベンチのうち、例えば、互いに対向するとともに互いに独立して立設された例えば擬石製の左右二つの側壁２と、それらの側壁２の下端部にそれぞれ一体的に設けられた、地面Ｇの下の地中に埋設される例えばコンクリート製の基礎３とを有する左右二つの支持台４と、左右の側壁２の上方に位置する例えば再生木材板製の座部７ａとを備えたかまど兼用椅子１であるベンチが開示されている。（特許文献１）
【０００４】
また、現場でのコンクリート打設によって直立姿勢で立設するとともに、それらの両側壁間に、仕切壁４をもまた同様にして立設し、さらには、後側部に立設されて、それらのそれぞれの壁３，４の相互連結をもたらす後側壁５を設けることで基礎部分１を構成し、この基礎部分１の正面輪郭形状および側面形状をともにほぼ方形とするとともに、それの平面形状がほぼＥ字状となされ、それぞれの側壁上に、たとえば、二本のアンカーボルト６をもって、ステンレス鋼板等とすることができるそれぞれのプレート７を締め付け固定し、そしてこれらのプレート７に挿通させた、たとえば二本のボルト８により、着座部２が、側面形状がほぼチャネル状をなす脚部９を介して基礎部分１に着脱可能に取付けられてなるベンチが開示されている。（特許文献２）
【先行技術文献】
【特許文献】
【０００５】
【特許文献１】特開２００９−１４８５９６号公報
【特許文献２】特開２００２−１５９３７１号公報
【発明の開示】
【発明が解決しようとする課題】
【０００６】
しかしながら、上記ベンチにおいては、脚部である側壁を擬石製とし、さらにその側壁と地中に埋設したコンクリート製の基礎とを一体的に設けたり、脚部である基礎部分を、現場でコンクリート打設により形成したりするため、設置場所においてコンクリートを用いて、基礎や脚部を形成しなければならず、コンクリートを乾燥させる時間を要し、ベンチの設置完了までに時間がかかったり、コンクリートを打設すると言う大掛かりな作業が伴うので、その施工効率がよいとは言い難いものであった。
【０００７】
本発明は、ベンチの施工を短時間で効率よく実施することができるベンチを提供せんとするものである。
【課題を解決するための手段】
【０００８】
上記目的を達成するために、本発明は次のような構成としている。
すなわち、本発明に係るベンチは、前後左右に適宜間隔をあけて少なくとも４本の杭がその上部を設置面から突出された状態で設置面に埋め込まれ、前後に配置された少なくとも２本の杭の上部に前後方向に延びる脚部が架け渡されるとともに、該脚部の下部を貫通し前記杭の上部にねじが螺着され、前記脚部の上部に前後方向に延びる連結金具が取付けられて、該連結金具に左右方向に延びる座部が差し渡されて支持されていることを特徴とするものである。
【０００９】
また本発明に係るベンチは、前記杭の設置面から突出された突出部は、設置面に埋め込まれた埋め込み部より短くなるようにするのが好ましい。
【発明の効果】
【００１０】
本発明に係るベンチによれば、前後左右に適宜間隔をあけて少なくとも４本の杭をその上部を設置面から突出された状態で設置面に埋め込み、前後に配置された少なくとも２本の杭の上部に前後方向に延びる脚部を架け渡すとともに、該脚部の下部を貫通し前記杭の上部にねじを螺着し、前記脚部の上部に前後方向に延びる連結金具を取付けて、該連結金具に左右方向に延びる座部を差し渡して支持しているため、設置面に杭を打ち込みさえすれば、基礎を形成することができ、そして杭とベンチの脚部とをねじで螺着すれば、ベンチの設置が完了し、非常に効率よくベンチを施工することができる。
【００１１】
また本発明に係るベンチによれば、前記杭の設置面から突出された突出部を、設置面に埋め込まれた埋め込み部より短くしているため、埋め込み部が強固に設置面に埋め込まれ、それぞれの杭が捩れたり座屈したりすることなく、ベンチの脚部及び座部を確実に支持することができる。
【図面の簡単な説明】
【００１２】
【図１】本発明に係るベンチの設置状態を示す側面図である。
【図２】図１に示すベンチの実施形態を示す、（イ）は正面図、（ロ）は側面図、（ハ）は背面図、（ニ）は底面図である。
【図３】図１に示すベンチの要部拡大の側面図である。
【発明を実施するための形態】
【００１３】
次に、本発明を実施するための形態について図面を参照し、具体的に説明する。
図面において、Ｐは本願発明に係るベンチであって、１はベンチＰの設置面Ｇに埋め込まれた杭、２は杭の上部に配置された脚部、３は脚部２の上部に配置された連結金具、４は連結金具３に支持されている座部、５は座部４の基端側に配置された背もたれ部である。
【００１４】
図１〜３においては、杭１は、円管状の細長い柱状体１１の上部に、円板状の蓋体１２が取付けられ、該蓋体１２の中央には通孔１３が設けられ、前記蓋体１２の下面中央にはナット１４が取付けられている。そして杭１は、前後左右に適宜間隔をあけるとともに、前後の間隔より左右の間隔が非常に大きくなされ、前後前後に２本ずつ、合計４本がその上部を設置面Ｇから突出された状態で設置面Ｇに埋め込まれている。そしていずれの杭１も、設置面Ｇから突出した突出部１１ａが、設置面Ｇに埋め込まれた埋め込み部１１ｂよりも短くなされている。なお、杭１の設置面Ｇへの打ち込みは、前記蓋体１２の上面をハンマーで打つなどして、打ち込み力を加えることにより行うことができる。
【００１５】
脚部２は、下部に設けられた細長い平板状の底板部２１の両端部を上方に折り曲げ折曲部２２を形成し、側面視で扁平なＵ字状となされ、その底板部２１の前後に透孔２３が設けられ、前後に配置された２本の杭１の上部に架け渡された前後方向に延びる脚部２の底板部２１の前記透孔２３と、前記杭１の蓋体１２の通孔１３とに、ねじ１５が挿通され前記ナット１４に螺着されて、前記杭１の上部に脚部２が取付けられている。
【００１６】
なお本実施形態においては、前記蓋体１２の下面にナット１４を取付け、ねじ１５を螺着しているが、蓋体１２の通孔１３に直接雌ねじを設けて、ねじ１５を螺着するようにしてもよい。また前記透孔２３は、前後に長い長孔となされており、前記杭１の間隔が前後にズレた場合にも、脚部２を取付けることができるようになされている。
【００１７】
前記脚部２の折曲部２２の上部には、前後に延びる細長い平板状の連結金具３が取付けられている。そして、該連結金具３は、左右方向に延びる前記座部４が差し渡されて支持されている座部受け部３１と、その後方側に上方に立ち上げられた立上部３２とを備えてなり、該立上部３２には、左右方向に延びる前記背もたれ部５が差し渡されて、連結金具３を貫通して、座部４及び背もたれ部５にタッピングビスＢが螺着されて、座部４及び背もたれ部５が連結金具３に支持されている。
【００１８】
また前記連結金具３は、座部４及び背もたれ部５の左側と右側、及びその中間に合計３個設けられており、それぞれの連結金具３に脚部２が取付けられ、そのうち左側と右側の脚部２が杭１に支持されている。そして、３個の脚部２の前後の折曲部２２の上部内側に、左右に延びる逆Ｌ型の補強材２４が差し渡され、ボルト・ナットにより折曲部２２と固定されている。
【００１９】
座部４及び背もたれ部５は、本実施形態においては、左右方向に延びる縦断面が横長長方形状の細長い角材４１，５１が５個並列に形成されたものであって、リサイクルした合成樹脂４１１，５１１の外側に、バージンの合成樹脂４１２，５１２を薄肉に被覆した押出成型品を適宜長さに切断したものであり、それにより紫外線等による耐候劣化を防止するようになされている。
【００２０】
また一般的には、座部４及び背もたれ部５は、合成樹脂或いは芯材に合成樹脂を被覆した押出成型品を適宜長さに切断して用いてもよく、合成樹脂としては、ポリエチレン、ポリプロピレン等のポリオレフィンあるいは、これらを共重合させたものや、更に酢酸ビニルやアクリル酸、アクリル酸エステル等を共重合させたものや、ポリエステル、ＡＢＳ樹脂、ＡＡＳ樹脂、ポリカーボネート等や、これらを適宜組み合わせたものを用いてもよい。また、木質の風合いを出すために木粉を添加してもよい。さらに、芯材を用いる場合は、金属材料や合成樹脂材料から形成されるが、重量や剛性の点を考慮すると、中空状の金属管状体を用いることが好ましい。また、座部４及び背もたれ部５を１枚の板材で形成するようにしてもよい。
【００２１】
なお上述した実施形態においては、杭１は４本設けられているが、これに限定されるものではなく、中央に配置されている脚部２の下方に前後に２本の杭１を設けるようにしてもよいし、更には前後に２本設けている杭１の間に１本の杭を設けるようにしてもよい。
【符号の説明】
【００２２】
１      杭
１１    柱状体
１１ａ  突出部
１１ｂ  埋め込み部
１２    蓋体
１３    通孔
１４    ナット
１５    ねじ
２      脚部
２１    底板部
２２    折曲部
２３    透孔
２４    補強材
３      連結金具
３１    座部受け部
３２    立上部
４      座部
４１    角材
５      背もたれ部
５１    角材
Ｐ      ベンチ
Ｇ      設置面
Ｂ      タッピングビス
【図１】
2015033433.tif 000003
【図２】
2015033433.tif 000004
【図３】
2015033433.tif 000005